(57)【要約】【課題】被掃除面の塵埃を吸い込んで掃除する吸込掃除と、被掃除面を除菌する拭き掃除と、を一時期に、かつ継続的に行うことが可能な電気掃除装置および吸込口体を提案する。【解決手段】電気掃除装置１は、吸込負圧を生じさせる電動送風機８と、吸込口２８を有して電動送風機８の吸込側に流体的に接続される吸込風路１３と、水を電気分解して次亜塩素酸を含む電解水を生成する電解水生成装置４２と、拭き掃除部材４３を着脱可能な拭き掃除部材取付部４５と、拭き掃除部材４３および被掃除面の少なくともいずれか一方へ電解水を供給する供給部４６と、を備えている。【選択図】  図２
2020081543.tif 000002
【特許請求の範囲】
【請求項１】
吸込負圧を生じさせる電動送風機と、
吸込口を有して前記電動送風機の吸込側に流体的に接続される吸込風路と、
水を電気分解して次亜塩素酸を含む電解水を生成する電解水生成装置と、
拭き掃除部材を着脱可能な拭き掃除部材取付部と、
前記拭き掃除部材および被掃除面の少なくともいずれか一方へ前記電解水を供給する供給部と、を備える電気掃除装置。
【請求項２】
前記供給部は、前記吸込口と前記拭き掃除部材との間に挟まれる前記被掃除面へ前記電解水を供給可能であり、かつ、前記吸込口が前記拭き掃除部材よりも先行する場合には、前記被掃除面へ前記電解水を供給し、前記拭き掃除部材が前記吸込口よりも先行する場合には、前記被掃除面への前記電解水の供給を断つ請求項１に記載の電気掃除装置。
【請求項３】
前記吸込口と前記供給部から前記被掃除面への前記電解水の供給箇所との間に設けられ、かつ前記電解水を拭き取り可能な払拭部を備える請求項２に記載の電気掃除装置。
【請求項４】
前記吸込口と前記供給部から前記被掃除面への前記電解水の供給箇所との間に設けられて、被掃除面に接することで前記吸込口と前記供給箇所との間の少なくとも一部を遮蔽する遮蔽部を備える請求項２または３に記載の電気掃除装置。
【請求項５】
前記吸込風路に設けられて前記吸込負圧で前記吸込風路に吸い込まれた前記電解水を吸収する吸湿部を備える請求項２から４のいずれか１項に記載の電気掃除装置。
【請求項６】
前記供給部は、前記拭き掃除部材の裏面へ前記電解水を供給する請求項１から５のいずれか１項に記載の電気掃除装置。
【請求項７】
前記供給部における前記電解水の供給の許否を切替る操作を受け取る操作部を備える請求項１から６のいずれか１項に記載の電気掃除装置。
【請求項８】
電動送風機に繋がる吸込風路の吸入口が設けられる吸込口体であって、
水を電気分解して次亜塩素酸を含む電解水を生成する電解水生成装置と、
拭き掃除部材を着脱可能な拭き掃除部材取付部と、
前記拭き掃除部材および被掃除面の少なくともいずれか一方へ前記電解水を供給する供給部と、を備える吸込口体。
【発明の詳細な説明】
【技術分野】
【０００１】
本発明に係る実施形態は、電気掃除装置および吸込口体に関する。
【背景技術】
【０００２】
本体内に着脱可能に設置され、内部に所定量の水を貯溜する水供給手段と、水供給手段から供給される水を電気分解して、アルカリイオン水と酸性イオン水とに分解するための電解水生成装置と、生成されたアルカリイオン水と酸性イオン水とを各々床面に霧状に噴射するための噴射装置と、床面上の埃を吸引する駆動手段と、回転駆動し噴射された床面の汚れを摩擦除去するローラー手段と、を備える電気掃除機が知られている。
【先行技術文献】
【特許文献】
【０００３】
【特許文献１】特開平１０−５７２８３号公報
【発明の概要】
【発明が解決しようとする課題】
【０００４】
ところで、被掃除面（床面）の拭き掃除に使用されるフローリングワイパーが知られている。フローリングワイパーには、乾いたシートで床面を乾拭きするドライタイプのものや、湿ったシートで床面を水拭きするウェットタイプのものがある。乾拭きでは、床面の除菌や、床面に付着した皮脂などの有機物の汚れを除去することは難しい。水拭きでは、床面の除菌や、床面に付着した皮脂などの有機物の汚れなどを除去することができる一方で、湿ったシートが徐々に乾いて効果を失ってしまう。
【０００５】
そこで、本発明は、被掃除面の塵埃を吸い込んで掃除する吸込掃除と、被掃除面を除菌する拭き掃除と、を一時期に、かつ継続的に行うことが可能な電気掃除装置および吸込口体を提案する。
【課題を解決するための手段】
【０００６】
前記の課題を解決するため本発明に係る電気掃除装置は、吸込負圧を生じさせる電動送風機と、吸込口を有して前記電動送風機の吸込側に流体的に接続される吸込風路と、水を電気分解して次亜塩素酸を含む電解水を生成する電解水生成装置と、拭き掃除部材を着脱可能な拭き掃除部材取付部と、前記拭き掃除部材および被掃除面の少なくともいずれか一方へ前記電解水を供給する供給部と、を備えている。
【０００７】
また、本発明に係る吸込口体は、電動送風機に繋がる吸込風路の吸入口が設けられる吸込口体であって、水を電気分解して次亜塩素酸を含む電解水を生成する電解水生成装置と、拭き掃除部材を着脱可能な拭き掃除部材取付部と、前記拭き掃除部材および被掃除面の少なくともいずれか一方へ前記電解水を供給する供給部と、を備えている。
【図面の簡単な説明】
【０００８】
【図１】本発明の実施形態に係る電気掃除装置の一例の斜視図。
【図２】本発明の実施形態に係る電気掃除装置および吸込口体の模式図。
【図３】本発明の実施形態に係る第二例の電気掃除装置および吸込口体の模式図。
【図４】本発明の実施形態に係る第三例の電気掃除装置および吸込口体の模式図。
【発明を実施するための形態】
【０００９】
本発明に係る電気掃除装置および吸込口体の実施形態について図１から図４を参照して説明する。なお、複数の図面中、同一または相当する構成には同一の符号が付されている。
【００１０】
図１は、本発明の実施形態に係る電気掃除装置の一例の斜視図である。
【００１１】
図１に示すように、本実施形態に係る電気掃除装置１は、例えばキャニスター型の電気掃除機である。
【００１２】
なお、電気掃除装置１は、キャニスター型の電気掃除機に限られない。電気掃除装置１は、アップライト型、スティック型、またはハンディ型の電気掃除機であっても良い。また、電気掃除装置１は、被掃除面を自律制御で移動可能な自律型電気掃除機であっても良い。
【００１３】
電気掃除装置１は、被掃除面を移動可能な掃除機本体２と、掃除機本体２に着脱可能に接続される管部３と、を備えている。管部３は、掃除機本体２に流体的に接続されている。使用者は、管部３を引っ張ることで掃除機本体２を移動させることができる。
【００１４】
掃除機本体２は、本体ケース５と、本体ケース５の左右それぞれの側部に設けられる一対の車輪６と、本体ケース５に着脱可能に装着される塵埃分離集塵装置７と、本体ケース５に収容される電動送風機８と、主に電動送風機８を制御する本体制御部９と、電動送風機８へ電力を導く電源コード１１と、を備えている。
【００１５】
掃除機本体２は、電源コード１１を経て供給される電力で電動送風機８を駆動させる。掃除機本体２は、電動送風機８の駆動によって発生する負圧を管部３に作用させる。電気掃除装置１は、管部３を通じて被掃除面から塵埃を含んだ空気（以下、「含塵空気」と呼ぶ。）を吸い込み、含塵空気から塵埃を分離し、分離後の塵埃を捕集し、蓄積するとともに分離後の空気を排気する。
【００１６】
本体ケース５は、掃除機本体２の吸込口に相当する本体接続口１２を備えている。本体接続口１２は、管部３を着脱可能な継手である。本体接続口１２は、管部３と塵埃分離集塵装置７とを流体的に接続している。本体接続口１２は、掃除機本体２と管部３との容易な着脱を可能にする。本体接続口１２は、本体ケース５の正面に向かって開口している。また、本体接続口１２は、掃除機本体２の前後方向に延びる中心線上に配置されている。そのため、電気掃除装置１は、管部３を引っ張ることで、使用者の意図通りに移動することができる。
【００１７】
左右の車輪６は、掃除機本体２を被掃除面に移動可能に支える。左右の車輪６の回転中心線は、実質的に同一線上に配置されている。そのため、使用者は、管部３を引っ張って掃除機本体２を軽快に前進させ、左右へ軽快に旋回させることができる。
【００１８】
塵埃分離集塵装置７は、本体接続口１２または管部３から掃除機本体２に流れ込む含塵空気から塵埃を分離し、捕集し、蓄積する一方で、塵埃が除去された清浄な空気を電動送風機８へ送る。塵埃分離集塵装置７は、例えば遠心分離（サイクロン分離）によって含塵空気から塵埃を分離する分離装置である。なお、塵埃分離集塵装置７は、塵埃を濾過捕集するフィルター、いわゆる紙パックのような集塵袋、直進分離（直進する空気と塵埃との慣性力の差で塵埃と空気とを分離する分離方式）によって含塵空気から塵埃を分離する分離装置であっても良い。
【００１９】
電動送風機８は、電源コード１１を経て供給される電力で駆動する。電動送風機８は、塵埃分離集塵装置７から空気を吸い込んで負圧（吸込負圧）を発生させる。なお、本体接続口１２から塵埃分離集塵装置７を経て電動送風機８の吸込側に達する風路は、電動送風機８の吸込側に流体的に接続される吸込風路１３の一部である。
【００２０】
本体制御部９は、主に電動送風機８の始動、停止、および運転出力の調整を行う。本体制御部９は、マイクロプロセッサ、およびマイクロプロセッサが実行する各種演算プログラム、パラメータなどを記憶する記憶装置を備えている。記憶装置は、予め設定される複数の運転モードに関連する種々の設定（引数）を記憶している。複数の運転モードは電動送風機８の出力に関連付けられている。それぞれの運転モードには、相互に異なる入力値（電動送風機８の入力値、電動送風機８に流れる電流値）が設定されている。それぞれの運転モードは、管部３が受け付ける操作入力に関連付けられている。本体制御部９は、管部３への操作入力に対応する任意の運転モードを、予め設定される複数の運転モードから択一的に選択し、選択した運転モードの設定を記憶部から読み出し、読み出した運転モードの設定にしたがって電動送風機８を運転する。
【００２１】
電源コード１１は、配線用差込接続器（所謂コンセント）から掃除機本体２へ電力を供給する。電源コード１１の自由端部には、差込プラグ１４が設けられている。電気掃除装置１は、掃除機本体２に電源、例えば二次電池を備える、いわゆるコードレスタイプであっても良い。
【００２２】
管部３は、電動送風機８の吸込側に流体的に接続される吸込風路１３の一部である。
【００２３】
管部３は、掃除機本体２から作用する負圧によって、被掃除面から含塵空気を吸い込み掃除機本体２へ導く。管部３は、掃除機本体２に着脱可能な継手としての接続管１９と、接続管１９に流体的に接続される集塵ホース２１と、集塵ホース２１に流体的に接続される手元操作管２２と、手元操作管２２から突出する把持部２３と、把持部２３に設けられる操作部２４と、手元操作管２２に着脱可能に接続される延長管２５と、延長管２５に着脱可能に接続される吸込口体２６と、を備えている。
【００２４】
接続管１９は、本体接続口１２へ着脱可能な継手である。接続管１９は、本体接続口１２を介して塵埃分離集塵装置７に流体的に接続される。接続管１９は、掃除機本体２と管部３との容易な着脱を可能にする。
【００２５】
集塵ホース２１は、長尺で可撓な略円筒形状のホースである。集塵ホース２１の一方の端部（ここでは、後方の端部）は、接続管１９に流体的に接続されている。集塵ホース２１は、接続管１９を通じて塵埃分離集塵装置７に流体的に接続されている。使用者は、可撓な集塵ホース２１によって、手元操作管２２、延長管２５、および吸込口体２６を任意の方向へ差し向けることができる。
【００２６】
手元操作管２２は、集塵ホース２１と延長管２５とを繋いでいる。手元操作管２２の一方の端部（ここでは、後方の端部）は、集塵ホース２１の他方の端部（ここでは、前方の端部）に流体的に接続されている。手元操作管２２は、集塵ホース２１および接続管１９を通じて塵埃分離集塵装置７に流体的に接続されている。
【００２７】
把持部２３は、電気掃除装置１を操作するために使用者が手で把持する部分である。把持部２３は、使用者が手で容易に把持できる適宜の形状で手元操作管２２から突出している。使用者は、把持部２３を把持して延長管２５、および吸込口体２６を任意の方向へ差し向けることができる。
【００２８】
操作部２４は、それぞれの運転モードに対応付けられるスイッチを備えている。例えば、操作部２４は、電動送風機８の停止操作に対応付けられる停止スイッチ２４ａと、電動送風機８の始動操作に対応付けられる起動スイッチ２４ｂと、吸込口体２６への電源供給および電源遮断に対応付けられるブラシスイッチ２４ｃと、を備えている。停止スイッチ２４ａおよび起動スイッチ２４ｂは、優先または無線を介して本体制御部９に操作信号を送信する。電気掃除装置１の使用者は、操作部２４を操作して電動送風機８の運転モードを択一的に選択できる。起動スイッチ２４ｂは、電動送風機８の運転中に、運転モードの切替スイッチとしても機能している。この場合、本体制御部９は、起動スイッチ２４ｂから操作信号を受け取る度に運転モードを強→中→弱→強→中→弱→………の順に切り替える。なお、操作部２４は、起動スイッチ２４ｂに代えて、強運転スイッチ、中運転スイッチ、および弱運転スイッチを個別に備えていても良い。
【００２９】
複数の筒状体を重ね合わせたテレスコピック構造の延長管２５は、伸縮可能である。延長管２５の一方の端部（ここでは、後方の端部）には、手元操作管２２の他方の端部（ここでは、前方の端部）に着脱可能な継手構造が設けられている。延長管２５は、手元操作管２２、集塵ホース２１および接続管１９を通じて塵埃分離集塵装置７に流体的に接続されている。使用者は、延長管２５を伸縮させることで、掃除場所の高低や広狭に適宜に対応することができる。
【００３０】
吸込口体２６は、木床やカーペットなどの被掃除面を走行可能または滑走可能である。吸込口体２６は、走行状態または滑走状態において被掃除面に対向する底面を有している。吸込口体２６の底面には、吸込口２８が設けられている。吸込口体２６は、吸込口２８に配置されている回転可能な回転清掃体２９と、回転清掃体２９を回転駆動させる電動機３１と、を備えている。吸込口体２６の一方の端部（ここでは、後方の端部）には、延長管２５の他方の端部（ここでは、前方の端部）に着脱可能な継手構造が設けられている。吸込口体２６は、延長管２５、手元操作管２２、集塵ホース２１および接続管１９を通じて塵埃分離集塵装置７に流体的に接続されている。つまり、吸込口体２６、延長管２５、手元操作管２２、集塵ホース２１、接続管１９、および塵埃分離集塵装置７は、吸込口２８から電動送風機８へ至る吸込風路１３である。電動機３１は、ブラシスイッチ２４ｃから操作信号を受け取る度に始動と停止とを交互に繰り返す。
【００３１】
また、吸込口体２６には、水を電気分解して次亜塩素酸を含む電解水を生成する電解水生成装置４２が設けられている。操作部２４には、電解水の供給の許否を切替る操作を受け取る水拭きスイッチ２４ｄが設けられている。そして、吸込口体２６は、被掃除面に撒布した電解水を拭き取る（いわゆる乾拭きする）、または電解水を含んで湿り、被掃除面に電解水を塗布する（いわゆる水拭きする）ために用いられる拭き掃除部材４３を備えている。換言すると、電気掃除装置１は、移動にともなって次亜塩素酸を含む電解水を被掃除面に撒布または塗布し、被掃除面を除菌する。
【００３２】
拭き掃除部材４３は、例えばワイパーシートや、ダスタークロス、雑巾、モップ（柄の部分を除いた先端の繊維の塊）など、吸湿性を有する種々の掃除用具である。拭き掃除部材４３は、吸込口体２６の底面に設けられている。拭き掃除部材４３は、吸込口体２６を被掃除面に置いた状態で被掃除面に接する。
【００３３】
電気掃除装置１は、起動スイッチ２４ｂが操作されると電動送風機８を始動させる。例えば、電気掃除装置１は、電動送風機８が停止している状態で起動スイッチ２４ｂが操作されると、先ず電動送風機８を強運転モードで始動させ、再び起動スイッチ２４ｂが操作されると電動送風機８の運転モードを中運転モードに変更し、三度、起動スイッチ２４ｂが操作されると電動送風機８の運転モードを弱運転モードに変更し、以下同様に繰り返す。強運転モード、中運転モード、および弱運転モードは、予め設定される複数の運転モードである。電動送風機８に対する入力値は、強運転モードが最も大きく、弱運転モードが最も小さい。始動した電動送風機８は、塵埃分離集塵装置７から空気を吸込み、塵埃分離集塵装置７内を負圧にする。
【００３４】
塵埃分離集塵装置７内の負圧は、本体接続口１２、接続管１９、集塵ホース２１、手元操作管２２、延長管２５、および吸込口体２６を順次に通じて吸込口２８に作用する。電気掃除装置１は、吸込口２８に作用した負圧によって、被掃除面の塵埃を空気とともに吸い込む。塵埃分離集塵装置７は、電気掃除装置１に吸い込まれた含塵空気から塵埃を分離し、捕集し、蓄積する一方で、含塵空気から分離した空気を電動送風機８へ送る。電動送風機８は、塵埃分離集塵装置７から吸い込んだ空気を掃除機本体２外へ排気する。このような電気掃除装置１の掃除機能を、以下「吸込掃除機能」または単に「吸込掃除」と言う・
【００３５】
また、電気掃除装置１は、水拭きスイッチ２４ｄが入り操作されると電解水生成装置４２へ電力を供給し、水を電気分解して電解水を生成する。電気掃除装置１は、電解水を利用して被掃除面を拭き掃除部材４３で拭き掃除することができる。電気掃除装置１は、掃除にともなって移動する際に、拭き掃除部材４３で被掃除面を拭き掃除する。この電気掃除装置１の拭き掃除機能には、被掃除面に撒布され、蒸発せずに残留した電解水（または単に水分）を拭き取る乾拭きを含む。また、電気掃除装置１の拭き掃除機能には、拭き掃除部材４３を電解水で湿らせて、拭き掃除部材４３で電解水を被掃除面に塗布し、被掃除面を除菌する水拭き（電解水を用いた水拭き）を含む。
【００３６】
拭き掃除部材４３による拭き掃除が乾拭きになるか、水拭きになるかは、電解水生成装置４２から被掃除面へ撒布される電解水の量、および電解水生成装置４２から拭き掃除部材４３へ供給される電解水の量に依存する。例えば床面に撒布される電解水の供給量が微量であれば、電解水は拭き掃除部材４３を湿らせる以前に蒸発してしまう。このような場合には、拭き掃除部材４３による乾拭きが継続する。床面に撒布される電解水の供給量が多量であれば、電解水は蒸発しきらずに拭き掃除部材４３を湿らせる。このような場合には、拭き掃除部材４３による乾拭きは、いずれ乾拭きから水拭きへ移行する。
【００３７】
なお、電気掃除装置１は、水拭きスイッチ２４ｄが切り操作されると電解水生成装置４２への電力供給を停止し、水の電気分解を行わない。
【００３８】
図２は、本発明の実施形態に係る電気掃除装置および吸込口体の模式図である。
【００３９】
図２に示すように、本実施形態に係る電気掃除装置１の吸込口体２６は、電解水生成装置４２と、拭き掃除部材４３を着脱可能な拭き掃除部材取付部４５と、拭き掃除部材４３および被掃除面ｆの少なくともいずれか一方へ電解水を供給可能な供給部４６と、を備えている。
【００４０】
吸込口体２６の前進方向（図２中の実線矢印Ｆ）において、吸込口２８と拭き掃除部材４３とは前後に並び、かつ吸込口２８は拭き掃除部材４３より前側に配置され、つまり拭き掃除部材４３は吸込口体２６より後ろ側に配置されている。したがって、吸込口体２６が前進すると、吸込口２８は拭き掃除部材４３よりも先行して移動する。また、吸込口体２６が後退すると、拭き掃除部材４３は吸込口２８よりも先行して移動する。
【００４１】
掃除機本体２に管部３が装着されている場合には、吸込口２８は、吸込風路１３の入口（最上流端）に相当する。電気掃除装置１は、吸込口体２６の吸込口２８から塵埃を吸い込む。
【００４２】
吸込風路１３は、吸込口から塵埃分離集塵装置７へ至る上流側風路１３ｕと、塵埃分離集塵装置７から電動送風機８へ至る下流側風路１３ｄと、を備えている。
【００４３】
電解水生成装置４２は、例えば、水を電気分解してオゾンが溶解された電解水を生成したり、塩水を電気分解して次亜塩素酸（ＨＣｌＯ）が溶解された電解水を生成したりする。日本では水道法の定めにより、家庭で容易に入手可能な水道水には、塩素が含まれている。電解水生成装置４２は、日本の水道水を電気分解することで次亜塩素酸を含む電解水を容易に生成できる。電解水生成装置４２は、水を貯留可能な貯留部５１と、正極および負極を含む電極と、電源コード１１を経て供給される電力で電極に電圧をかける電源回路と、を備えている。
【００４４】
貯留部５１は、水や塩水を貯留する容器である。貯留部５１に貯留される水は、水道水でよい。貯留部５１は、給水の利便性を高めるために、掃除機本体２に着脱可能であることが好ましい。貯留部５１は、開閉可能な蓋を備えている。貯留部５１は、蓋を開いて水や塩水を容易に給水できる。
【００４５】
電解水生成装置４２の電極には、水に溶け出しにくい材料、例えばチタンや白金が用いられる。電気分解を促進するために、電極には、イリジウム、白金、ルテニウムなどの白金族の金属、またはその酸化物が担持されていても良い。電解水には、過酸化水素、活性酸素、ＯＨラジカルなどの化学種が生成される。
【００４６】
電極は、貯留部５１内に設けられている。電極は、貯留部５１の外側、例えば貯留部５１と供給部４６とを繋ぐ配管に設けられていても良い。つまり、電解水生成装置４２は、貯留部５１内の水を電解水に変えるものであっても良いし、貯留部５１から供給部４６へ供給される水を供給部４６へ達する前に電解水に変えるものであっても良い。
【００４７】
拭き掃除部材４３は、例えば織布、または不織布である。拭き掃除部材４３の材料は、綿などの天然繊維、セルロースなどの再生繊維、ポリエステル系繊維、ナイロン６、ナイロン６６、ナイロン４６などのポリアミド系繊維、ポリエチレン、ポリプロピレンなどのポリオレフィン系繊維などの合成繊維である。拭き掃除部材４３は、スポンジであっても良い。また、拭き掃除部材４３は、高吸水性高分子（Superabsorbent polymer、SAP、いわゆる吸収性ポリマー、高吸水性樹脂、高分子吸収体）製の部材を一体に有していても良い。高吸水性高分子製の部材を一体に有する拭き掃除部材４３は、より多量の電解水を保水できる。
【００４８】
拭き掃除部材取付部４５は、面ファスナーを利用してシート状の拭き掃除部材４３を貼り付けたり、シート状の拭き掃除部材４３を巻き付けたり、拭き掃除部材４３の一部を差込口に差し込んだりして固定する基台である。拭き掃除部材取付部４５は、吸込口体２６を被掃除面ｆに置いた状態で拭き掃除部材４３を被掃除面ｆに接触させる。拭き掃除部材取付部４５自体も、吸込口体２６から着脱可能であっても良い。
【００４９】
供給部４６は、貯留部５１から電解水を導く配管５２と、被掃除面ｆへ電解水を撒布する第一供給口５３と、配管５２の途中に設けられて第一供給口５３への電解水の供給と供給の遮断とを行う第一開閉弁５５と、拭き掃除部材４３の裏面へ電解水を供給する第二供給口５７と、配管５２の途中に設けられて第二供給口５７への電解水の供給と供給の遮断とを行う第二開閉弁５９と、を備えている。
【００５０】
第一供給口５３は、例えば電解水を撒布可能なノズルである。吸込口２８と拭き掃除部材４３との間に挟まれる被掃除面ｆへ電解水を供給する。換言すると、供給部４６は、第一供給口５３から吸込口２８と拭き掃除部材４３との間に挟まれる被掃除面ｆへ電解水を供給する。
【００５１】
第一供給口５３は、複数あっても良い。例えば、第一供給口５３は、吸込口体２６の幅方向、つまり拭き掃除部材４３の幅方向に列をなして並んでいることが好ましい。このように並ぶ第一供給口５３は、吸込口２８の進行にともなって、より広い範囲に電解水を撒布する。また、第一供給口５３は、吸込口体２６の幅方向に長辺を有する細長く扁平なノズルであっても良い。
【００５２】
第二供給口５７も、複数あっても良い。例えば、第二供給口５７は、吸込口体２６の幅方向、つまり拭き掃除部材４３の幅方向に列をなして並んでいることが好ましい。このように並ぶ第二供給口５７は、拭き掃除部材４３の広い範囲を電解水で湿らせることができる。また、第二供給口５７は、吸込口体２６の幅方向に長辺を有する細長く扁平な開口であっても良い。
【００５３】
ところで、供給部４６から被掃除面ｆへ撒布される電解水、および拭き掃除部材４３を介して供給部４６から被掃除面ｆへ塗布される電解水は、吸込口体２６の移動方向（進行方向、前進または後退）次第では、吸込口２８に作用する負圧によって被掃除面ｆから吸込風路１３へ吸い込まれてしまう虞がある。
【００５４】
そこで、供給部４６は、吸込口２８が拭き掃除部材４３よりも先行する場合には、被掃除面ｆへ電解水を供給し、拭き掃除部材４３が吸込口２８よりも先行する場合には、被掃除面ｆへの電解水の供給を断つ。
【００５５】
具体的には、第一開閉弁５５は、吸込口２８が拭き掃除部材４３よりも先行する場合には、第一供給口５３へ電解水を供給し、拭き掃除部材４３が吸込口２８よりも先行する場合には、第一供給口５３への電解水の供給を断つ。また、第二開閉弁５９は、吸込口２８が拭き掃除部材４３よりも先行する場合には、第二供給口５７へ電解水を供給し、拭き掃除部材４３が吸込口２８よりも先行する場合には、第二供給口５７への電解水の供給を断つ。
【００５６】
吸込口体２６の進行方向の検知には、既知の進行方向検知部６１が用いられる。例えば、進行方向検知部６１は、吸込口体２６の前進と後退に応じて揺動するレバー、または吸込口体２６の前進と後退に応じて向き変えるキャスターと、これらレバーまたはキャスターの状態を検出する検知器と、を備えている。第一開閉弁５５および第二開閉弁５９の開閉と、吸込口体２６の進行方向のとの同調（連動）は、進行方向検知部６１から出力される検知結果に基づいて、マイコンなどの電気的な制御部で行われるものであっても良いし、レバーやキャスターの動きを第一開閉弁５５および第二開閉弁５９に伝達する機械的な機構（リンク機構、スライド機構、またはカム機構など）で行われるものであっても良い。
【００５７】
なお、第一供給口５３のように被掃除面ｆへ電解水を撒布する場合には、撒布された電解水が、吸込口２８へ吸い込まれる空気の流れに乗って吸込風路１３へ吸い込まれてしまう虞がある一方で、第二供給口５７のように被掃除面ｆへ拭き掃除部材４３で電解水を塗布する場合には、塗布された電解水が、吸込口２８へ吸い込まれる空気の流れに乗って吸込風路１３へ吸い込まれてしまう虞は低い。そのため、第二開閉弁５９は、吸込口体２６の進行方向にかかわらずに、第二供給口５７へ電解水を供給し続けても良い。
【００５８】
また、電気掃除装置１は、吸込風路１３に設けられて吸込負圧で吸込風路１３に吸い込まれた電解水（水分）を吸収する吸湿部６２を備えている。吸湿部６２は、電解水が吸込風路１３に吸い込まれた場合には、電動送風機８に達する前に、電解水を吸収して、電動送風機８へ電解水が達することを防ぐ。吸湿部６２は、例えば織布、または不織布である。吸湿部６２の材料は、綿などの天然繊維、セルロースなどの再生繊維、ポリエステル系繊維、ナイロン６、ナイロン６６、ナイロン４６などのポリアミド系繊維、ポリエチレン、ポリプロピレンなどのポリオレフィン系繊維などの合成繊維である。吸湿部６２は、スポンジであっても良い。また、吸湿部６２は、高吸水性高分子（Superabsorbent polymer、SAP、いわゆる吸収性ポリマー、高吸水性樹脂、高分子吸収体）製の部材を一体に有していても良い。高吸水性高分子製の部材を一体に有する吸湿部６２は、より多量の電解水を保水できる。
【００５９】
吸湿部６２は、吸込風路１３の上流側風路１３ｕに設けられていても良いし、下流側風路１３ｄに設けられていても良い。吸湿部６２は、塵埃分離集塵装置７内に設けられていても良い。吸湿部６２は、吸込風路１３に吸い込まれた含塵空気から塵埃を分離する塵埃分離集塵装置７のフィルターを兼ねていても良い。
【００６０】
さらに、供給部４６は、第一供給口５３および第二供給口５７のいずれか一方のみを有していても良い。この場合には、第一供給口５３および第二供給口５７に対応する第一開閉弁５５および第二開閉弁５９のいずれか一方のみを有していれば良い。
【００６１】
さらに、電解水生成装置４２は、吸込口体２６へ電解水を供給可能な範囲で管部３のいずれの箇所に設けられていても良い。例えば、電解水生成装置４２は、吸込口体２６を接続する延長管２５の継手構造に設けられていても良い。また、電解水生成装置４２は、被掃除面ｆへ電解水を供給可能な範囲で掃除機本体２の底部に設けられていても良い。
【００６２】
次に、本実施形態に係る電気掃除装置１の他の例を説明する。なお、各例で説明する電気掃除装置１Ａ、１Ｂにおいて、電気掃除装置１（第一例の電気掃除装置）と同じ構成には同一の符号を付し、重複する説明は省略する。
【００６３】
図３は、本発明の実施形態に係る第二例の電気掃除装置および吸込口体の模式図である。
【００６４】
図３に示すように、本実施形態に係る電気掃除装置１Ａ（第二例の電気掃除装置）の吸込口体２６Ａは、吸込口２８と供給部４６から被掃除面ｆへの電解水の供給箇所との間に設けられ、かつ電解水を拭き取り可能な払拭部６５を備えている。
【００６５】
供給部４６から被掃除面ｆへの電解水の供給箇所とは、第一供給口５３から被掃除面ｆへ撒布される電解水では、被掃除面ｆにおける電解水の撒布領域Ａを意味する。また、供給部４６から被掃除面ｆへの電解水の供給箇所とは、第二供給口５７から拭き掃除部材４３を経て被掃除面ｆに塗布される電解水では、被掃除面ｆにおける電解水の塗布領域Ｂを意味する。
【００６６】
つまり、払拭部６５は、これら領域Ａおよび領域Ｂよりも吸込口２８の近くに設けられている。払拭部６５は、例えばブラシ、織布、または不織布である。払拭部６５の材料は、綿などの天然繊維、セルロースなどの再生繊維、ポリエステル系繊維、ナイロン６、ナイロン６６、ナイロン４６などのポリアミド系繊維、ポリエチレン、ポリプロピレンなどのポリオレフィン系繊維などの合成繊維である。払拭部６５は、スポンジであっても良い。また、払拭部６５は、高吸水性高分子（Superabsorbent polymer、SAP、いわゆる吸収性ポリマー、高吸水性樹脂、高分子吸収体）製の部材を一体に有していても良い。高吸水性高分子製の部材を一体に有する払拭部６５は、より多量の電解水を保水できる。
【００６７】
払拭部６５は、拭き掃除部材４３のように着脱が可能であっても良い。また、払拭部６５は、吸込口２８の開口幅の全幅に渡って、連続して延びていることが好ましい。
【００６８】
払拭部６５は、吸込口体２６の移動にともなって吸込口２８へ接近する電解水、特に被掃除面ｆに付着して残った電解水が、吸込口２８へ達する前に吸い取る。
【００６９】
吸込口体２６Ａは、払拭部６５に代えて、または加えて、吸込口２８と供給部４６から被掃除面ｆへの電解水の供給箇所との間に設けられて被掃除面ｆに接することで吸込口２８と供給箇所との間の少なくとも一部を遮蔽する遮蔽部６６を備えていても良い。
【００７０】
遮蔽部６６は、被掃除面ｆに付着した電解水が吸込負圧で吸込口２８へ吸い込まれることを妨げる。遮蔽部６６は、領域Ａおよび領域Ｂよりも吸込口２８の近くに設けられている。遮蔽部６６は、例えば、天然ゴム、シリコーンゴムのような合成ゴム製のブレードである。遮蔽部６６は、吸込口２８の開口幅の全幅に渡って、連続して延びていることが好ましい。遮蔽部６６は、被掃除面ｆに付着する電解水（水分）が吸込口２８へ達する前に、スクイージーのように掻き集める。
【００７１】
吸込口体２６Ａは、払拭部６５および遮蔽部６６のいずれか一方を備えていれば良い。また、払拭部６５および遮蔽部６６は、いずれが吸込口２８により近くても良い。払拭部６５と遮蔽部６６とは、離間して平行に並んでいることが好ましい。払拭部６５が遮蔽部６６よりも吸込口２８に近い場合には、払拭部６５に吸い取られる水分の量が抑えられるので、払拭部６５の拭き取り効果を、より長く維持できる。
【００７２】
図４は、本発明の実施形態に係る第三例の電気掃除装置および吸込口体の模式図である。
【００７３】
図４に示すように、本実施形態に係る電気掃除装置１Ｂ（第三例の電気掃除装置）の吸込口体２６Ｂは、吸込口体２６Ｂの進行方向において吸込口２８を間に挟む一対の拭き掃除部材取付部４５を備えている。
【００７４】
吸込口体２６Ｂの前進方向（図４中の実線矢印Ｆ）において、吸込口２８と一対の拭き掃除部材取付部４５とは前後に並んでいる。そして、一対の拭き掃除部材取付部４５は、吸込口２８より前側に配置される第一拭き掃除部材取付部４５ｆと、吸込口２８より後ろ側に配置される第二掃除部材取付部４５ｂと、を含んでいる。第一拭き掃除部材取付部４５ｆには、第一拭き掃除部材４３ｆが着脱可能に取り付けられている。第二拭き掃除部材取付部４５ｂには、第二拭き掃除部材４３ｂが着脱可能に取り付けられている。
【００７５】
吸込口体２６Ｂが前進すると、第一拭き掃除部材４３ｆは吸込口２８よりも先行して移動し、吸込口２８は第二拭き掃除部材４３ｂよりも先行して移動する。また、吸込口体２６Ｂが後退すると、第二拭き掃除部材４３ｂは吸込口２８よりも先行して移動し、吸込口２８は第一拭き掃除部材４３ｆよりも先行して移動する。
【００７６】
そこで、供給部４６Ｂは、吸込口２８が拭き掃除部材４３よりも先行する場合には、被掃除面ｆへ電解水を供給し、拭き掃除部材４３が吸込口２８よりも先行する場合には、被掃除面ｆへの電解水の供給を断つ。
【００７７】
供給部４６Ｂは、貯留部５１から電解水を導く配管５２と、第一拭き掃除部材４３ｆ側へ電解水を供給する第一系統７１と、第二拭き掃除部材４３ｂ側へ電解水を供給する第二系統７２と、を備えている。
【００７８】
第一系統７１は、吸込口２８と第一拭き掃除部材４３ｆとの間に挟まれる被掃除面ｆへ電解水を撒布する第一供給口５３と、配管５２の途中に設けられて第一供給口５３への電解水の供給と供給の遮断とを行う第一開閉弁５５と、第一拭き掃除部材４３ｆの裏面へ電解水を供給する第二供給口５７と、配管５２の途中に設けられて第二供給口５７への電解水の供給と供給の遮断とを行う第二開閉弁５９と、を備えている。
【００７９】
第二系統７２は、吸込口２８と第二拭き掃除部材４３ｂとの間に挟まれる被掃除面ｆへ電解水を撒布する第三供給口７３と、配管５２の途中に設けられて第三供給口７３への電解水の供給と供給の遮断とを行う第三開閉弁７５と、第二拭き掃除部材４３ｂの裏面へ電解水を供給する第四供給口７７と、配管５２の途中に設けられて第四供給口７７への電解水の供給と供給の遮断とを行う第四開閉弁７９と、を備えている。
【００８０】
そして、第一開閉弁５５は、吸込口２８が第一拭き掃除部材４３ｆよりも先行する場合には、第一供給口５３へ電解水を供給し、第一拭き掃除部材４３ｆが吸込口２８よりも先行する場合には、第一供給口５３への電解水の供給を断つ。また、第二開閉弁５９は、吸込口２８が第一拭き掃除部材４３ｆよりも先行する場合には、第二供給口５７へ電解水を供給し、第一拭き掃除部材４３ｆが吸込口２８よりも先行する場合には、第二供給口５７への電解水の供給を断つ。
【００８１】
第三開閉弁７５は、吸込口２８が第二拭き掃除部材４３ｂよりも先行する場合には、第三供給口７３へ電解水を供給し、第二拭き掃除部材４３ｂが吸込口２８よりも先行する場合には、第三供給口７３への電解水の供給を断つ。また、第四開閉弁７９は、吸込口２８が第二拭き掃除部材４３ｂよりも先行する場合には、第四供給口７７へ電解水を供給し、第二拭き掃除部材４３ｂが吸込口２８よりも先行する場合には、第四供給口７７への電解水の供給を断つ。
【００８２】
つまり、電気掃除装置１Ｂは、吸込口体２６Ｂが前進している場合であっても、後退している場合であっても、電解水を被掃除面ｆへ撒布し、または電解水を被掃除面ｆへ塗布することができる。
【００８３】
なお、第二開閉弁５９および第四開閉弁７９は、吸込口体２６の進行方向にかかわらずに、第二供給口５７へ電解水を供給し続けても良い。
【００８４】
また、供給部４６Ｂの第一系統７１は、第一供給口５３および第二供給口５７のいずれか一方のみを有していても良い。この場合には、第一供給口５３および第二供給口５７に対応する第一開閉弁５５および第二開閉弁５９のいずれか一方のみを有していれば良い。さらに、供給部４６Ｂの第二系統７２は、第三供給口７３および第四供給口７７のいずれか一方のみを有していても良い。この場合には、第三供給口７３および第四供給口７７に対応する第三開閉弁７５および第四開閉弁７９のいずれか一方のみを有していれば良い。
【００８５】
供給部４６Ｂは、貯留部５１を複数有していても良い。例えば、一の貯留部５１は、供給部４６Ｂの第一系統７１に接続され、他の貯留部５１は、供給部４６Ｂの第二系統７２に接続されていても良い。電極は、それぞれの貯留部５１内に設けられている。電極は、貯留部６１以外の箇所で電解水を生成し、生成した電解水を複数の貯留部５１のそれぞれへ供給する集中的な生成箇所に設けられていても良い。さらに、いずれかの貯留部５１のみに電極を設けて電解水を生成し、他の貯留部５１へ電解水を分配するものであっても良い。
【００８６】
以上のように、本実施形態に係る電気掃除装置１、１Ａ、１Ｂおよび吸込口体２６、２６Ａ、２６Ｂは、水を電気分解して次亜塩素酸を含む電解水を生成する電解水生成装置４２と、拭き掃除部材４３を着脱可能な拭き掃除部材取付部４５と、拭き掃除部材４３および被掃除面ｆの少なくともいずれか一方へ電解水を供給可能な供給部４６、４６Ｂと、を備えている。そのため、電気掃除装置１、１Ａ、１Ｂは、電解水を利用して被掃除面ｆを拭き掃除することができる。
【００８７】
また、本実施形態に係る電気掃除装置１、１Ａ、１Ｂおよび吸込口体２６、２６Ａ、２６Ｂは、吸込口２８が拭き掃除部材４３よりも先行する場合には、被掃除面ｆへ電解水を供給し、拭き掃除部材４３が吸込口２８よりも先行する場合には、被掃除面ｆへの電解水の供給を断つ供給部４６を備えている。そのため、電気掃除装置１、１Ａ、１Ｂは、電動送風機８を駆動させて行う吸込掃除と、電解水を用いた拭き掃除とを両立させ、かつ被掃除面ｆへ供給された電解水が吸込風路１３へ吸い込まれることを抑制できる。
【００８８】
さらに、本実施形態に係る電気掃除装置１Ａおよび吸込口体２６Ａは、吸込口２８と供給部４６から被掃除面ｆへの電解水の供給箇所（領域Ａ、領域Ｂ）との間に設けられ、かつ電解水を拭き取り可能な払拭部６５を備えている。そのため、電気掃除装置１Ａは、被掃除面ｆへ供給された電解水が吸込風路１３に吸い込まれることを、より確実に抑制できる。
【００８９】
また、本実施形態に係る電気掃除装置１Ａおよび吸込口体２６Ａは、吸込口２８と供給部４６から被掃除面ｆへの電解水の供給箇所（領域Ａ、領域Ｂ）との間に設けられて電解水が吸込負圧で吸込口２８へ吸い込まれることを阻止する遮蔽部６６を備えている。そのため、電気掃除装置１Ａは、被掃除面ｆへ供給された電解水が吸込風路１３に吸い込まれることを、さらに確実に抑制できる。
【００９０】
さらに、本実施形態に係る電気掃除装置１、１Ａ、１Ｂおよび吸込口体２６、２６Ａ、２６Ｂは、吸込負圧で吸込風路１３に吸い込まれた電解水を吸収する吸湿部６２を備えている。そのため、電気掃除装置１、１Ａ、１Ｂは、電動送風機８に電解水が流れ込むことを防ぐことができる。
【００９１】
また、本実施形態に係る電気掃除装置１、１Ａ、１Ｂおよび吸込口体２６、２６Ａ、２６Ｂは、拭き掃除部材４３の裏面へ電解水を供給する。そのため、電気掃除装置１、１Ａ、１Ｂは、電解水を利用して被掃除面ｆを水拭き掃除することができる。また、拭き掃除部材４３に染み込んだ電解水は、被掃除面ｆへ直接的に散布される電解水に比べて吸込風路１３に吸い込まれ難い。そのため、電気掃除装置１、１Ａ、１Ｂは、吸込掃除と水拭き掃除とを容易に両立させることができる。
【００９２】
さらに、本実施形態に係る電気掃除装置１、１Ａ、１Ｂおよび吸込口体２６、２６Ａ、２６Ｂは、供給部４６、４６Ｂにおける電解水の供給の許否を切替る操作を受け取る水拭きスイッチ２４ｄを備えている。そのため、電気掃除装置１、１Ａ、１Ｂは、使用者の意図に応じて電解水を利用した拭き掃除の実施と不実施とを容易に切り替えることができる。
【００９３】
したがって、本実施形態に係る電気掃除装置１、１Ａ、１Ｂおよび吸込口体２６、２６Ａ、２６Ｂによれば、被掃除面ｆの塵埃を吸い込んで掃除する吸込掃除と、被掃除面ｆの除菌や、床面に付着した皮脂などの有機物の汚れなどを除去可能な拭き掃除と、を一時期に、かつ継続的に行うことができる。
【００９４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる
【符号の説明】
【００９５】
１、１Ａ、１Ｂ…電気掃除装置、２…掃除機本体、３…管部、５…本体ケース、６…車輪、７…塵埃分離集塵装置、８…電動送風機、９…本体制御部、１１…電源コード、１２…本体接続口、１３…吸込風路、１３ｕ…上流側風路、１３ｄ…下流側風路、１４…差込プラグ、１９…接続管、２１…集塵ホース、２２…手元操作管、２３…把持部、２４…操作部、２５…延長管、２６、２６Ａ、２６Ｂ…吸込口体、２４ａ…停止スイッチ、２４ｂ…起動スイッチ、２４ｃ…ブラシスイッチ、２４ｄ…水拭きスイッチ、２８…吸込口、２９…回転清掃体、３１…電動機、４２…電解水生成装置、４３…拭き掃除部材、４３ｆ…第一拭き掃除部材、４３ｂ…第二拭き掃除部材、４５…拭き掃除部材取付部、４５ｆ…第一拭き掃除部材取付部、４５ｂ…第二拭き掃除部材取付部、４６、４６Ｂ…供給部、５１…貯留部、５２…配管、５３…第一供給口、５５…第一開閉弁、５７…第二供給口、５９…第二開閉弁、６１…進行方向検知部、６２…吸湿部、６５…払拭部、６６…遮蔽部、７１…第一系統、７２…第二系統、７３…第三供給口、７５…第三開閉弁、７７…第四供給口、７９…第四開閉弁。
【図１】
2020081543.tif 000003
【図２】
2020081543.tif 000004
【図３】
2020081543.tif 000005
【図４】
2020081543.tif 000006